(57)【要約】【課題】ユーザの操作性が損なわれない携帯端末装置を提供する。【解決手段】携帯端末装置１００は、複数のアイコンを表示する表示部２０２と、携帯端末装置を制御する制御部２０９と、複数のオブジェクトの各々の存在を隠すか否かを規定する判別情報２０６と、複数のアイコンとは異なる１つ以上の代替アイコンとを格納する記憶部２０３とを備える。各アイコンは、複数のオブジェクトのうちの互いに異なるオブジェクトに関連付けられている。制御部２０９は、判別情報２０６に基づいて、複数のアイコンごとに、アイコンに関連付けられているオブジェクトの存在を隠すか判断する判断部２１３と、オブジェクトの存在を隠すという判断結果に基づいて、アイコンと同じ位置に、アイコンに代えて、１つ以上の代替アイコンのうちのいずれか１つを表示する表示制御手部２１２とを含む。【選択図】図２
2014127128.tif 000002
【特許請求の範囲】
【請求項１】
携帯端末装置であって、
複数のアイコンを表示するための表示部と、
前記携帯端末装置を制御するための制御部と、
複数のオブジェクトの各々の存在を隠すか否かを規定する判別情報と、前記複数のアイコンとは異なる１つ以上の代替アイコンとを格納するための記憶部とを備え、
各前記アイコンは、前記複数のオブジェクトのうちの互いに異なるオブジェクトに関連付けられており、
前記制御部は、
前記判別情報に基づいて、前記複数のアイコンごとに、当該アイコンに関連付いているオブジェクトの存在を隠すか判断するための判断手段と、
前記オブジェクトの存在を隠すという判断結果に基づいて、当該アイコンと同じ位置に、当該アイコンに代えて、前記１つ以上の代替アイコンのうちのいずれか１つを表示するための表示制御手段とを含む、携帯端末装置。
【請求項２】
前記１つ以上の代替アイコンは、１つのオブジェクトに関連付けられており、
前記制御部は、
前記表示部に表示された、前記複数のアイコンの１つまたは前記１つ以上の代替アイコンの１つが、ユーザにより選択されたことを検出するための検出手段と、
前記代替アイコンが選択されたことに基づいて、前記代替アイコンに関連付けられている前記オブジェクトを起動するための起動手段とを含む、請求項１に記載の携帯端末装置。
【請求項３】
前記携帯端末装置の動作モードは、前記１つ以上の代替アイコンを前記表示部に表示する第１表示モードと、前記１つ以上の代替アイコンを全て表示しない第２表示モードとを含み、
前記１つ以上の代替アイコンは、前記複数のアイコンのうちの互いに異なるアイコンに関連付けられており、
前記検出手段は、ユーザにより前記複数のアイコンの１つまたは前記１つ以上の代替アイコンのうちの１つの表示位置が移動されたことをさらに検出し、
前記第１表示モードにおいて前記１つ以上の代替アイコンの１つが移動された後に、前記携帯端末装置の動作モードが前記第１表示モードから前記第２表示モードに切り替わると、前記表示制御手段は、移動された前記代替アイコンに関連付いている前記アイコンを、前記代替アイコンが移動された位置に表示する、請求項１または２に記載の携帯端末装置。
【請求項４】
前記アイコンの表示態様と前記代替アイコンの表示態様とは異なる、請求項１〜３のいずれか１項に記載の携帯端末装置。
【発明の詳細な説明】
【技術分野】
【０００１】
この発明は携帯端末装置に関し、特に、アイコンを表示可能に構成された携帯端末装置に関する。
【背景技術】
【０００２】
近年、スマートフォンなどの携帯端末装置が普及している。当該携帯端末装置には、様々なアプリケーションがインストールされている。また、ユーザは、ウェブサイト等からのダウンロードにより、当該携帯端末装置に、アプリケーションをインストールすることもできる。
【０００３】
このような携帯端末装置においては、アプリケーションに関連付けられているアイコンがディスプレイに表示される。ユーザは、当該アイコンを選択することにより、アプリケーションを起動することができる。
【０００４】
ところで、携帯端末装置にインストールされたアプリケーションの中には、ユーザが他人に秘密にしたいアプリケーションが含まれている場合がある。当該秘密にしたいアプリケーションに関連付けられているアイコンの表示方法に関する技術は、たとえば、特開２０１１−１９８０５５号公報（特許文献１）に開示されている。
【０００５】
また、携帯端末装置は、他人に秘密にしたいアプリケーションの他に、他人に秘密にしたいコンテンツ等を保存している場合がある。以下では説明を簡単にするために、他人に秘密にしたいアプリケーションおよびコンテンツを含む言葉として、オブジェクトという言葉を用いる。ここで、オブジェクトとは、携帯端末装置に記憶されているデータの総称をいう。
【先行技術文献】
【特許文献】
【０００６】
【特許文献１】特開２０１１−１９８０５５号公報
【発明の概要】
【発明が解決しようとする課題】
【０００７】
この開示は上述の問題点を解決するためになされたものであって、その目的は、オブジェクトの存在が隠された場合でも、ユーザの操作性が損なわれない携帯端末装置を提供することである。
【０００８】
特許文献１に記載の発明は、「表示部に対する表示制御を行う表示制御部と、設定操作に応じて、秘密にするアイコンを設定する設定部とを備え」、「前記表示制御部は、設定部によって設定された秘密のアイコンをアイコン表示画面に含めないように制御」する。このように、特許文献１に開示された技術によれば、秘密にするアイコンをディスプレイに表示しないため、アイコンの整列順序が変更される。
【０００９】
また、アイコンを配列して表示するいわゆるランチャ画面を備えた携帯端末装置は、一部のアイコンを削除したときに、削除によって生じた表示スペースにアイコンを詰めて表示する自動整列機能を備える。当該携帯端末装置において、アイコンを削除した後に、ユーザが秘密にするアイコンを表示するか否かを切り替えると、アイコンの整列順序が変更される。
【００１０】
ユーザは、多数のアイコンがある中で、アイコンの表示位置を日常的に覚えることで、所望のアプリケーションを起動する。しかしながら、アイコンの表示順序が異なると、所望のアプリケーションを起動するために時間がかかり、操作性が大きく失われる。したがって、携帯端末装置の操作性が損なわれない技術が必要とされている。
【００１１】
この開示は、上述のような問題点を解決するためになされたものであって、その目的は、オブジェクトの存在が隠された場合でも、ユーザの操作性が損なわれない携帯端末装置を提供することである。
【課題を解決するための手段】
【００１２】
一実施形態に従うと、携帯端末装置は、複数のアイコンを表示するための表示部と、携帯端末装置を制御するための制御部と、複数のオブジェクトの各々の存在を隠すか否かを規定する判別情報と、複数のアイコンとは異なる１つ以上の代替アイコンとを格納するための記憶部とを備える。各アイコンは、複数のオブジェクトのうちの互いに異なるオブジェクトに関連付けられている。当該制御部は、判別情報に基づいて、複数のアイコンごとに、当該アイコンに関連付けられているオブジェクトの存在を隠すか判断するための判断手段と、オブジェクトの存在を隠すという判断結果に基づいて、当該アイコンと同じ位置に、当該アイコンに代えて、１つ以上の代替アイコンのうちのいずれか１つを表示するための表示制御手段とを含む。
【００１３】
好ましくは、１つ以上の代替アイコンは、１つのオブジェクトに関連付けられている。当該制御部は、表示部に表示された、複数のアイコンの１つまたは１つ以上の代替アイコンの１つが、ユーザにより選択されたことを検出するための検出手段と、代替アイコンが選択されたことに基づいて、代替アイコンに関連付けられているオブジェクトを起動するための起動手段とを含む。
【００１４】
好ましくは、携帯端末装置の動作モードは、１つ以上の代替アイコンを表示部に表示する第１表示モードと、１つ以上の代替アイコンを全て表示しない第２表示モードとを含む。当該１つ以上の代替アイコンは、複数のアイコンのうちの互いに異なるアイコンに関連付けられている。当該検出手段は、ユーザにより複数のアイコンの１つまたは１つ以上の代替アイコンのうちの１つの表示位置が移動されたことをさらに検出する。第１表示モードにおいて１つ以上の代替アイコンの１つが移動された後に、携帯端末装置の動作モードが第１表示モードから第２表示モードに切り替わると、表示制御手段は、移動された代替アイコンに関連付いているアイコンを、代替アイコンが移動された位置に表示する。
【００１５】
好ましくは、アイコンの表示態様と代替アイコンの表示態様とは異なる。
ある局面によると、携帯端末装置にインストールされているアプリケーションの存在を隠した場合でも、ユーザの操作性が損なわれない。
【図面の簡単な説明】
【００１６】
【図１】携帯端末装置１００のハードウェア構成の具体例を示すブロック図である。
【図２】携帯端末装置１００の機能構成の具体例を示すブロック図である。
【図３】判別情報２０６のデータ構造の一態様を表す図である。
【図４】携帯端末装置１００における表示モードの一態様を表す図である。
【図５】ユーザにより代替アイコン２０５が選択された場合における、携帯端末装置１００の動作の一態様を表す図である。
【図６】ユーザにより代替アイコン２０５が移動された場合における、携帯端末装置１００の動作の一態様を表す図である。
【図７】携帯端末装置での動作の流れを表わすフローチャートである。
【発明を実施するための形態】
【００１７】
以下、図面を参照しつつ、本発明の実施の形態について説明する。以下の説明では、同一の部品および構成要素には同一の符号を付してある。それらの名称および機能も同じである。したがって、これらについての詳細な説明は繰り返さない。
【００１８】
＜ハードウェア構成＞
図１を参照して、携帯端末装置１００のハードウェア構成について説明する。図１は、携帯端末装置１００のハードウェア構成の具体例を示すブロック図である。
【００１９】
携帯端末装置１００は、ＣＰＵ（Central  Processing  Unit）２０と、アンテナ２３と、通信装置２４と、操作キーなどのユーザインタフェース２５と、カメラ２６と、フラッシュメモリ２７と、ＲＡＭ（Random  Access  Memory）２８と、ＲＯＭ（Read  Only  Memory）２９と、メモリカード駆動装置３０と、マイク３２と、スピーカ３３と、音声信号処理回路３４と、ディスプレイ３５と、ＬＥＤ（Light  Emitting  Diode）３６と、データ通信Ｉ／Ｆ（インタフェース）３７と、バイブレータ３８とを備える。メモリカード駆動装置３０には、メモリカード３１が装着され得る。
【００２０】
アンテナ２３は、基地局によって発信される信号を受信する。また、アンテナ２３は、基地局を介して他の通信装置と通信するための信号を送信する。アンテナ２３によって受信された信号は、通信装置２４によってフロントエンド処理が行なわれる。処理後の信号は、ＣＰＵ２０に送られる。
【００２１】
ＣＰＵ２０は、携帯端末装置１００に対して与えられる命令に基づいて携帯端末装置１００の動作を制御するための処理を実行する。携帯端末装置１００が信号を受信すると、ＣＰＵ２０は、通信装置２４から送られた信号に基づいて予め規定された処理を実行し、処理後の信号を音声信号処理回路３４に送出する。音声信号処理回路３４は、その信号に対して予め規定された処理を実行し、処理後の信号をスピーカ３３に送出する。スピーカ３３は、その信号に基づいて音声を出力する。
【００２２】
マイク３２は、携帯端末装置１００に対する発話を受け付けて、発話された音声に対応する信号を音声信号処理回路３４に対して送出する。音声信号処理回路３４は、その信号に基づいて通話のために予め規定された処理を実行し、処理後の信号をＣＰＵ２０に対して送出する。ＣＰＵ２０は、その信号を送信用のデータに変換し、変換後のデータを通信装置２４に対して送出する。通信装置２４は、そのデータを用いて送信用の信号を生成し、アンテナ２３に向けてその信号を送出する。
【００２３】
フラッシュメモリ２７は、ＣＰＵ２０から送られるデータを格納する。ＣＰＵ２０は、フラッシュメモリ２７に格納されているデータを読み出し、そのデータを用いて予め規定された処理を実行する。
【００２４】
ＲＡＭ２８は、ＣＰＵ２０によって生成されるデータを一時的に保持する。ＲＯＭ２９は、携帯端末装置１００に予め定められた動作を実行させるためのプログラムあるいはデータを格納している。ＣＰＵ２０は、ＲＯＭ２９から当該プログラムまたはデータを読み出し、携帯端末装置１００の動作を制御する。
【００２５】
メモリカード駆動装置３０は、メモリカード３１に格納されているデータを読み出し、読み出しデータをＣＰＵ２０に送出する。メモリカード駆動装置３０は、ＣＰＵ２０によって出力されるデータを、メモリカード３１の空き領域に書き込む。
【００２６】
音声信号処理回路３４は、上述のような通話のための信号処理を実行する。なお、図１に示される例では、ＣＰＵ２０と音声信号処理回路３４とが別個の構成として示されているが、他の局面において、ＣＰＵ２０と音声信号処理回路３４とが一体として構成されていてもよい。
【００２７】
ディスプレイ３５は、タッチパネル式のディスプレイであるが、タッチパネルの機構は特に限られない。ディスプレイ３５は、ＣＰＵ２０から与えられるデータに基づいて、当該データによって規定される画像を表示する。
【００２８】
ＬＥＤ３６は、ＣＰＵ２０からの信号に基づいて、予め定められた発光動作を実現する。データ通信Ｉ／Ｆ３７は、データ通信用のケーブルの装着を受け付ける。データ通信Ｉ／Ｆ３７は、ＣＰＵ２０から出力される信号を当該ケーブルに対して送出する。あるいは、データ通信Ｉ／Ｆ３７は、当該ケーブルを介して受信されるデータを、ＣＰＵ２０に対して送出する。
【００２９】
バイブレータ３８は、ＣＰＵ２０から出力される信号に基づいて、予め定められた周波数で発振動作を実行する。
【００３０】
＜機能構成＞
図２を参照して、携帯端末装置１００の機能構成について説明する。図２は、携帯端末装置の機能構成の具体例を示すブロック図である。
【００３１】
携帯端末装置１００は、操作部２０１と、表示部２０２と、記憶部２０３と、通信制御部２０８と、制御部２０９とを備える。
【００３２】
操作部２０１は、所定時間毎にユーザによる操作を検知して、検知した信号を制御部２０９に入力する。操作部２０１は、例えば、タッチパネルを含む。タッチパネルは、抵抗膜方式、表面弾性波方式、赤外線方式、電磁誘導方式、静電容量方式などのいずれのタイプであってもよい。
【００３３】
記憶部２０３は、アイコンの情報を規定するアイコン情報２０４と、アイコン情報２０４において規定されているアイコンとは異なる１つ以上の代替アイコン２０５と、アプリケーション２０７の各々の存在を隠すか否かを規定する判別情報２０６と、ユーザにより携帯端末装置１００にインストールされた１つ以上のアプリケーション２０７とを含む。
【００３４】
アイコン情報２０４は、表示部２０２に表示するアイコン（以下、「通常アイコン」という。）を規定する。より具体的には、通常アイコンは、画像として規定されている。また、通常アイコンは、複数のアプリケーション２０７のうちの互いに異なるアプリケーションに関連付けられている。アイコン情報２０４は、通常アイコンの表示位置を規定する。また、アイコン情報２０４は、表示制御部２１２により参照される。なお、アイコン情報２０４は、通常アイコンの表示位置の代わりに、通常アイコンの表示の配列順序を規定してもよい。アイコン情報２０４において規定される通常アイコンは、アプリケーション２０７に関連付けられているアイコンだけでなく、ブックマークや電話番号等のデータを参照可能にするショートカットアイコン等も含む。
【００３５】
代替アイコン２０５は、表示制御部２１２により使用される。代替アイコン２０５の表示態様（色、形等）は、通常アイコンの表示態様とは異なる。たとえば、代替アイコン２０５は、通常アイコンと色のみが異なるものや、通常アイコンに円、多角形、バツ（×）印等のマークを追加したものを含む。また、代替アイコン２０５は、通常アイコンからユーザが任意に選択したものを含む。さらに、代替アイコン２０５は、円、多角形等の図形であってもよい。
【００３６】
判別情報２０６は、判断部２１３により参照される。判別情報２０６については、後述の図３において詳細に説明する。
【００３７】
図２を再び参照して、制御部２０９は、操作部２０１から出力される信号を検出するための検出部２１１と、検出部２１１から出力される信号に基づいてアプリケーション２０７を起動するための起動部２１０と、アプリケーション２０７の各々の存在を隠すか判断するための判断部２１３と、判断部２１３の判断結果に基づいて表示部２０２を制御するための表示制御部２１２とを含む。
【００３８】
検出部２１１は、操作部２０１からの出力に基づいて、たとえば、ユーザが表示部２０２に表示されたアイコンを選択する操作を検出する。当該検出結果は、起動部２１０に出力される。別の局面において、検出部２１１は、操作部２０１からの出力に基づいて、ユーザが、表示部２０２に表示されたアイコンを移動する操作を検出する。当該検出結果は、表示制御部２１２に出力される。
【００３９】
判断部２１３は、判別情報２０６に基づいて、通常アイコンに関連付けられているアプリケーション２０７の存在を隠すか否かを判断する。判断部２１３の判断結果は、表示制御部２１２に出力される。
【００４０】
判断部２１３の判断結果が、通常アイコンに関連付けられているアプリケーション２０７の存在を隠さないということを示している場合には、表示制御部２１２は、通常アイコンを表示部２０２に表示する。また、当該判断結果が、通常アイコンを隠すということを示している場合には、表示制御部２１２は、通常アイコンと同じ位置に、通常アイコンに代えて、代替アイコン２０５を表示部２０２に表示する。
【００４１】
通信制御部２０８は、基地局によって発信される信号を受信する。また、通信制御部２０８は、基地局を介して他の通信装置と通信するための信号を送信する。アンテナ２３によって受信された信号は、制御部２０９に入力される。
【００４２】
＜データ構造＞
図３を参照して、携帯端末装置１００のデータ構造について説明する。図３は、判別情報２０６の内容を概念的に表わす図である。
【００４３】
判別情報２０６は、アプリケーション２０７の各々の存在を隠すか否かを規定する。一例として、ある局面において、９個のアプリケーションが携帯端末装置１００にインストールされている場合に、図３に示されるように、判別情報２０６は、９個のアプリケーションのそれぞれについて、当該アプリケーションの存在を「隠す」か「隠さない」かを規定するフラグを有する。
【００４４】
たとえば、図３において、アプリケーション「メール」については、その存在を「隠す」と規定されているため、判断部２１３は、「メール」に関連付けられている「メールアイコン」を隠す、すなわち、表示しないと判断する。表示制御部２１２は、当該判断結果を受けて、「メールアイコン」の代わりに、代替アイコン２０５を表示部２０２に表示する。
【００４５】
また、図３において、アプリケーション「表計算」については、その存在を「隠さない」と規定されているため、判断部２１３は、「表計算」に関連付けられている「表計算アイコン」を表示すると判断する。その後、表示制御部２１２は、当該判断結果を受けて、「表計算アイコン」を表示部２０２に表示する。
【００４６】
なお、判別情報２０６は、ブックマークや電話番号等のデータの存在を隠すか否かを規定してもよい。
【００４７】
＜表示モード＞
図４を参照して、携帯端末装置１００における表示モードについて説明する。図４は、携帯端末装置１００における表示モードの一態様を表す図である。
【００４８】
ある局面において、携帯端末装置１００は、表示モードとして、状態（Ａ）と状態（Ｂ）とを有する。状態（Ａ）は、通常アイコンのみを表示する第１表示モード（以下、「通常モード」という。）である。状態（Ｂ）は、判別情報２０６に基づいて、通常アイコンまたは代替アイコンを表示する第２表示モード（以下、「シークレットモード」という。）である。たとえば、通常モードである状態（Ａ）と、シークレットモードである状態（Ｂ）とは、ユーザの操作により切り替えることができる。
【００４９】
ある局面において、状態（Ａ）で示されるように、携帯端末装置１００は、メールアイコン３０１と、スケジュールアイコン３０２と、表計算アイコン３０３と、ブラウザアイコン３０４と、ゲームアイコン３０５とを、ディスプレイ３５に表示する。
【００５０】
このとき、ユーザの操作により、携帯端末装置１００の動作モードが状態（Ａ）から状態（Ｂ）に切り替えられると、ＣＰＵ２０は、判別情報２０６に基づいて、それぞれの当該アイコンについて、通常アイコンまたは代替アイコンを、ディスプレイ３５に表示する。
【００５１】
たとえば、メールアイコン３０１に関連付けられているアプリケーション「メール」については、判別情報２０６において、その存在を「隠す」と規定されているため、表示制御部２１２は、状態（Ｂ）において、メールアイコン３０１と同じ位置に、メールアイコン３０１の代わりに、代替アイコン３１１を表示する。同様に、スケジュールアイコン３０２、ブラウザアイコン３０４、ゲームアイコン３０５に関連付けられている各アプリケーションについても、判別情報２０６において、その存在を「隠す」と規定されているため、表示制御部２１２は、状態（Ｂ）において、当該各アイコンと同じ位置に、当該各アイコンの代わりに、代替アイコン３１２，３１４，３１５をそれぞれ表示する。
【００５２】
一方、表計算アイコン３０３に関連付けられているアプリケーション「表計算」は、判別情報２０６において、その存在を「隠さない」と規定されているため、表示制御部２１２は、状態（Ｂ）において、表計算アイコン３０３を表示する。
【００５３】
＜代替アイコンの選択時の動作概要＞
図５を参照して、ユーザにより代替アイコン２０５が選択された場合における、携帯端末装置１００の動作について説明する。図５は、ユーザにより代替アイコン２０５が選択された場合における、携帯端末装置１００の動作の一態様を表す図である。
【００５４】
ある局面において、検出部２１１は、通常アイコンまたは代替アイコンがユーザにより選択されたことを検出する。たとえば、状態（Ａ）で示すように、検出部２１１は、ユーザ４０１が代替アイコン３１５を選択したことを検出する。検出部２１１が代替アイコン３１５が選択されたことを検出すると、状態（Ｂ）で示すように、「起動できません」というメッセージ４０２が表示される。
【００５５】
他の局面において、代替アイコン３１５は、アプリケーションに関連付けられており、代替アイコン３１５が選択された場合、起動部２１０が、当該アプリケーションを起動してもよい。当該アプリケーションは、１つ以上のアプリケーション２０７のうちの１つであってもよいし、アプリケーション２０７とは異なるアプリケーションであってもよい。
【００５６】
＜代替アイコンの移動時の動作概要＞
図６を参照して、ユーザにより代替アイコン２０５が移動された場合における、携帯端末装置１００の動作について説明する。図６は、ユーザにより代替アイコン２０５が移動された場合における、携帯端末装置１００の動作の一態様を表す図である。
【００５７】
ある局面において、検出部２１１は、通常アイコンまたは代替アイコンが、ユーザにより移動されたことを検出する。代替アイコン２０５は、通常アイコンに関連付けられている。たとえば、状態（Ａ）における代替アイコン３１５は、ゲームアイコン３０５に関連付けられている。
【００５８】
たとえば、状態（Ａ）で示すように、検出部２１１は、ユーザ４０１が、領域５０１から領域５０２へ、代替アイコン３１５を移動したことを検出する。その後、携帯端末装置１００の動作モードが、シークレットモードである状態（Ａ）から通常モードである状態（Ｂ）に切り替わると、ゲームアイコン３０５は、領域５０１ではなく、領域５０２に表示される。
【００５９】
他の局面において、ユーザが代替アイコン２０５を削除した場合であっても、代替アイコンに関連付けられている、存在を隠したいアプリケーションは消去されない。ユーザが代替アイコン２０５を削除し、携帯端末装置１００の動作モードをシークレットモードから通常モードに切り替えると、表示制御部２１２は、当該代替アイコンに関連付けられている通常アイコンの表示位置を、表示部２０２に表示しているアイコンの最後尾に移動する。また、表示制御部２１２は、当該通常アイコンが移動された旨のメッセージ等を、表示部２０２に表示する。
【００６０】
＜制御構造＞
図７を参照して、携帯端末装置１００の制御構造について説明する。図７は、携帯端末装置１００のＣＰＵ２０が実行する処理の一部を表わすフローチャートである。
【００６１】
ステップＳ７０１にて、ＣＰＵ２０は、表示制御部２１２として、アイコン情報２０４を参照して、通常アイコンの表示位置および表示される通常アイコンの識別情報等を取得する。
【００６２】
ステップＳ７０２にて、ＣＰＵ２０は、表示制御部２１２として、アイコン情報２０４によって規定されているアイコンが表示部２０２に全て表示されたか否かを判断する。ＣＰＵ２０は、当該アイコンが表示部２０２に全て表示されたと判断すると（ステップＳ７０２にてＹＥＳ）、処理を終了する。そうでない場合には（ステップＳ７０２にてＮＯ）、ＣＰＵ２０は、制御をステップＳ７０３に切り替える。
【００６３】
ステップＳ７０３にて、ＣＰＵ２０は、表示制御部２１２として、携帯端末装置１００の表示モードがシークレットモードであるか否かを判断する。ＣＰＵ２０は、表示モードがシークレットモードであると判断すると（ステップＳ７０３にてＹＥＳ）、制御をステップＳ７０４に切り替える。そうでない場合には（ステップＳ７０３にてＮＯ）、ＣＰＵ２０は、制御をステップＳ７０６に切り替える。
【００６４】
ステップＳ７０４にて、ＣＰＵ２０は、判断部２１３として、通常アイコンに関連付けられているアプリケーションの存在を隠すか否かについて判断する。ＣＰＵ２０は、通常アイコンに関連付けられているアプリケーションの存在を隠すと判断すると（ステップＳ７０４にてＹＥＳ）、制御をステップＳ７０５に切り替える。そうでない場合には（ステップＳ７０４にてＮＯ）、ＣＰＵ２０は、制御をステップＳ７０６に切り替える。
【００６５】
ステップＳ７０５にて、ＣＰＵ２０は、表示制御部２１２として、ステップＳ７０１にて取得した通常アイコンの表示位置に、通常アイコンに代えて、代替アイコン２０５を表示する。
【００６６】
ステップＳ７０６にて、ＣＰＵ２０は、表示制御部２１２として、ステップＳ７０１にて取得した通常アイコンの表示位置に、通常アイコンを表示する。
【００６７】
以上のようにして、本実施の形態に係る携帯端末装置１００によれば、アプリケーションの存在を隠した場合であっても、アイコンの表示位置が変わらないため、ユーザの操作性が損なわれない。より具体的には、本実施の形態に係る携帯端末装置１００は、シークレットモードの時に、通常アイコンを表示している位置に、通常アイコンに代えて、代替アイコンを表示することで、シークレットモードにおけるアイコンの表示位置は、通常モードにおけるアイコンの表示位置と同じになり、常に同じ操作感をユーザに与えることができる。また、本実施の形態に係る携帯端末装置１００は、存在を隠したいアプリケーションの起動を制御することができる。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６９】
２０  ＣＰＵ、２３  アンテナ、２４  通信装置、２５  ユーザインタフェース、２６
カメラ、２７  フラッシュメモリ、２８  ＲＡＭ、２９  ＲＯＭ、３０  メモリカード駆動装置、３１  メモリカード、３２  マイク、３３  スピーカ、３４  音声信号処理回路、３５  ディスプレイ、３８  バイブレータ、１００  携帯端末装置、２０１  操作部、２０２  表示部、２０３  記憶部、２０４  アイコン情報、２０５  代替アイコン、２０６  判別情報、２０７  アプリケーション、２０８  通信制御部、２０９  制御部、２１０  起動部、２１１  検出部、２１２  表示制御部、２１３  判断部、３０１  メールアイコン、３０２  スケジュールアイコン、３０３  表計算アイコン、３０４  ブラウザアイコン、３０５  ゲームアイコン、３１１，３１２，３１４，３１５  代替アイコン、４０１  ユーザ、４０２  メッセージ、５０１，５０２  領域。
【図１】
2014127128.tif 000003
【図２】
2014127128.tif 000004
【図３】
2014127128.tif 000005
【図４】
2014127128.tif 000006
【図５】
2014127128.tif 000007
【図６】
2014127128.tif 000008
【図７】
2014127128.tif 000009